(57)【要約】【課題】筺体の大型化を招くことなくより大きい表示部を備えることが可能な折り畳み式携帯端末装置を提供する。【課題を解決するための手段】第１および第２の筺体２，３と、連結手段４と、表示部７と、スピーカ部８と、を備える。連結手段４は、第１および第２の筺体２，３を、第１および第２の筺体２，３が重ねられた折り畳み状態と、第１および第２の筺体２，３が展開した展開状態とを切り替え可能に連結するとともに、展開状態において、第１および第２の筺体２，３が展開している展開方向Ｘに沿った軸Ｒの周りに第２の筺体３が第１の筺体２に対して回転可能に連結する。表示部７は、第２の筺体３の面のうちの、展開方向Ｘに沿った第１の面３ａに設けられている。スピーカ部８は、第２の筺体３の展開方向Ｘに沿った面のうちの、第１の面３ａとは異なる第２の面３ｂに設けられている。【選択図】図１
2013153386.tif 000002
【特許請求の範囲】
【請求項１】
第１および第２の筺体と、
前記第１および第２の筺体を、前記第１および第２の筺体が重ねられた折り畳み状態と、前記第１および第２の筺体が展開された展開状態とを切り替え可能に連結するとともに、前記展開状態において、前記第１および第２の筺体を展開している展開方向に沿った軸の周りに前記第２の筺体を前記第１の筺体に対して回転可能に連結する連結手段と、
前記第２の筺体の外側面のうちの、前記展開方向に沿った第１の面に設けられた表示部と、
前記第２の筺体の前記展開方向に沿った外側面のうちの、前記第１の面とは異なる第２の面に設けられたスピーカ部と、を備えた、折り畳み式携帯端末装置。
【請求項２】
前記第１の筺体の外側面のうちの、前記折り畳み状態において前記第２の筺体と対向する第３の面に設けられたマイクロホン部と、
前記第２の面が前記第３の面と同じ方向を向いた前記展開状態において前記スピーカ部および前記マイクロホン部を用いて電話機能を働かせる主制御部と、を有する、請求項１に記載の折り畳み式携帯端末装置。
【請求項３】
前記第１の面が前記第３の面と同じ方向を向く第１の前記展開状態、および前記第２の面が前記第３の面と同じ方向を向く第２の前記展開状態を検出する検出手段を有し、
前記主制御部は、前記展開状態が前記第１の展開状態から前記第２の展開状態へ切り替わったことを前記検出手段が検出した際にオフフック状態とし、前記展開状態が前記第２の展開状態から前記第１の展開状態に切り替わったことを前記検出手段が検出した際にオンフック状態とする、請求項２に記載の折り畳み式携帯端末装置。
【請求項４】
前記第２の面にマイクロホン部を有し、
前記制御部は、前記第１の面が前記第３の面と対向した前記折り畳み状態において前記スピーカ部および前記第２の面の前記マイクロホン部を用いて電話機能を働かせる、請求項２または３に記載の折り畳み式携帯端末装置。
【請求項５】
前記第１の筺体の外側面のうちの、前記第３の面とは異なる外側面に操作部を有し、
前記主制御部は、前記第１の面が前記第３の面と対向した前記折り畳み状態において前記操作部が操作された際にオフフック状態とオンフック状態を切り替える、請求項４に記載の折り畳み式携帯端末装置。
【請求項６】
前記第１の筺体の、前記第３の面とは反対側の第４の面にマイクロホン部およびカメラを有する、請求項２ないし５のいずれか１項に記載の折り畳み式携帯端末装置。
【請求項７】
前記主制御部は、オフフック状態とオンフック状態の切り替え操作を説明するためのガイド表示を前記表示部に表示させる、請求項２ないし６のいずれか１項に記載の折り畳み式携帯端末装置。
【請求項８】
前記ガイド表示の内容が、前記第１の展開状態および前記第２の展開状態の切り替えをユーザに案内するものである、請求項７に記載の折り畳み式携帯端末装置。
【請求項９】
画像を記憶する記憶部を有し、
前記制御部は、前記展開状態において前記電話機能を働かせている場合に、前記記憶部に予め記憶された画像を前記表示部に表示させる、請求項２ないし８のいずれか１項に記載の折り畳み式携帯端末装置。
【発明の詳細な説明】
【技術分野】
【０００１】
本発明は、２つの筺体を重ねた状態から展開したり再び重ねたりすることが可能な折り畳み式携帯端末装置に関する。
【背景技術】
【０００２】
２つの筺体を有し、当該２つの筺体を重ねたり再び展開したりすることが可能な携帯端末装置が知られている。このような携帯端末装置は、折り畳み式携帯端末装置と呼ばれている。
【０００３】
折り畳み式携帯端末装置の一例が特許文献１に開示されている。特許文献１に開示されている折り畳み式携帯端末装置について説明する。
【０００４】
特許文献１に記載の折り畳み式携帯端末装置（以下、単に携帯端末装置という）は、操作部およびマイクロホン部を有する第１の筺体と、表示部およびスピーカ部を有する第２の筺体と、第１および第２の筺体を連結する連結手段と、を備える。
【０００５】
連結手段は、第１および第２の筺体が重ねられた折り畳み状態と、第１および第２の筺体が展開した展開状態とを切り替え可能に第１および第２の筺体を連結している。また、連結手段は、展開状態において、第１および第２の筺体が展開している方向（以下、展開方向）の軸の周りに第２の筺体が第１の筺体に対して回転可能に第１および第２の筺体を連結している。
【０００６】
操作部およびマイクロホン部は、第１の筺体の面のうちの、折り畳み状態において第２の筺体に対向する面に設けられている。表示部およびスピーカ部は、第２の筺体の面のうちの、展開状態において展開方向に沿った一の面に設けられている。
【０００７】
操作部を有する面および表示部を有する面が同じ方向を向いた展開状態では、ユーザは表示部を見ながら操作部を操作することができる。また、この状態ではマイクロホン部を有する面およびスピーカ部を有する面が同じ方向を向いているため、携帯端末装置を電話機として使用することができる。
【０００８】
さらに、第２の筺体の、表示部を有する面とは反対側の面と操作部を有する面が対向するように重ねることによって、携帯端末装置は、表示部が外側に向いた折り畳み状態となる。この状態は、ユーザが操作部を操作することなく表示部に表示された画像を見ながら携帯端末装置を持ち運ぶ場合に有利である。
【先行技術文献】
【特許文献】
【０００９】
【特許文献１】国際公開第２００６／０６８１２２号
【発明の概要】
【発明が解決しようとする課題】
【００１０】
近年では、インターネット接続機能や動画視聴機能を組み込んだ携帯端末装置が実用化されている。このような機能の追加に伴って、表示部の大型化が求められている。
【００１１】
しかしながら、特許文献１に記載の携帯端末装置では、第２の筺体の一の面に表示部およびスピーカ部が配設されているため、第２の筺体の当該一の面の全領域に表示部を配設することができず、表示部の大型化に限界があった。
【００１２】
そこで、本発明の目的の一例は、筺体の大型化を招くことなくより大きい表示部を備えることが可能な折り畳み式携帯端末装置を提供することを目的とする。
【課題を解決するための手段】
【００１３】
上記目的を達成するために、本発明の１つの態様は、第１および第２の筺体と、連結手段と、表示部と、スピーカ部と、を備える。連結手段は、第１および第２の筺体を、第１および第２の筺体が重ねられた折り畳み状態と、第１および第２の筺体が展開された展開状態とを切り替え可能に連結するとともに、展開状態において、第１および第２の筺体を展開している展開方向に沿った軸の周りに第２の筺体を第１の筺体に対して回転可能に連結する。表示部は、第２の筺体の外側面のうちの、展開方向に沿った第１の面に設けられている。スピーカ部は、第２の筺体の展開方向に沿った外側面のうちの、第１の面とは異なる第２の面に設けられている。
【発明の効果】
【００１４】
本発明の折り畳み式携帯端末装置によれば、筺体の大型化を招くことなくより大きい表示部を備えることが可能になる。
【図面の簡単な説明】
【００１５】
【図１】本発明の第１の実施形態に係る、第１の展開状態ある携帯端末装置の正面図、側面図および背面図である。
【図２】本発明の第１の実施形態に係る、第２の折り畳み状態にある携帯端末装置の正面図および側面図である。
【図３】本発明の第１の実施形態に係る、第２の展開状態にある携帯端末装置の正面図および背面図である。
【図４】本発明の第１の実施形態に係る、第２の折り畳み状態にある携帯端末装置の正面図である。
【図５】本発明の第１の実施形態に係る携帯端末装置のブロック図である。
【図６】本発明の第１の実施形態に係る、第１の展開状態にある携帯端末装置に着呼があった場合の動作を説明するためのフローチャートである。
【図７】本発明の第１の実施形態に係る携帯端末装置を使用して発呼する場合の動作を説明するためのフローチャートである。
【図８】本発明の第２の実施形態に係る、第１の展開状態にある携帯端末装置の正面図および背面図である。
【図９】本発明の第２の実施形態に係る、第２の折り畳み状態にある携帯端末装置の正面図および背面図である。
【発明を実施するための形態】
【００１６】
以下、本発明の実施形態に係る折り畳み式携帯端末装置（以下、単に携帯端末装置という）について、図面に基づいて詳細に説明する。
【００１７】
（第１の実施形態）
まず、本発明の第１の実施形態に係る携帯端末装置について説明する。
【００１８】
図１（ａ），（ｂ）および（ｃ）は、本発明の第１の実施形態に係る携帯端末装置のある状態での正面図、側面図および背面図である。
【００１９】
図１に示すように、本実施形態に係る携帯端末装置１は、第１の筺体２と、第２の筺体３と、第１および第２の筺体２，３を連結する連結手段４と、を備えている。連結手段４は、第１および第２の筺体２，３が重ねられた折り畳み状態と、第１および第２の筺体２，３が展開された展開状態とを切り替え可能に第１および第２の筺体２，３を連結している。
【００２０】
なお、図１には展開状態にある携帯端末装置１が示されており、図２（ａ）および（ｂ）に、折り畳み状態にある携帯端末装置１の正面図および側面図が示されている。
【００２１】
第２の筺体３は表示部７およびスピーカ部８を有する。表示部７は、第２の筺体３の外側面のうちの、展開状態において第１および第２の筺体２，３が展開している方向（以下、展開方向Ｘという）に沿う第１の面３ａに設けられている。
【００２２】
表示部７は、例えばＬＣＤ（Ｌｉｑｕｉｄ  Ｃｒｙｓｔａｌ  Ｄｉｓｐｌａｙ：液晶表示装置）によって構成され、操作に必要な情報を表示する。また、表示部７がタッチパネルを代表とする入力装置を有していてもよい。
【００２３】
タッチパネルは、タッチセンサー回路により制御され、指やペンなどで接触された場所の位置検出を行い情報処理システムにユーザの位置を伝達するための入力装置である。位置検出の方式としては、静電容量結合方式、抵抗膜方式、赤外線方式、超音波方式および電磁誘導／結合方式などが知られている。本発明において、位置検出の方式は制限されるものではない。表示部７がタッチパネルのような入力装置を有することによって、メニュー呼出、電話番号や文字の入力、各機能の操作など、携帯端末装置１の操作を行うための操作部として表示部７を使用することができる。このような表示部７は、ユーザの操作に応じた入力信号を、携帯端末装置１内に設けられた主制御部に出力する。
【００２４】
スピーカ部８は、第２の筺体３の、展開状態において展開方向Ｘに沿う外側面のうちの、第１の面３ａとは異なる第２の面３ｂに設けられている。すなわち、第１の面３ａにスピーカ部８が設けられていないため、第１の面３ａの全領域に表示部７を配設することができる。したがって、表示部７を有する面にスピーカ部８が設けられた携帯端末装置に比べ、表示部７を大きくすることができる。
【００２５】
第１の筺体２は、操作部５およびマイクロホン部６を有する。操作部５およびマイクロホン部６は、第１の筺体２の外側面のうちの、折り畳み状態で第２の筺体３と対向する第３の面２ａに設けられている。
【００２６】
操作部５としては、文字や数字の入力を行うためのテンキー、機能メニューの選択や決定を行うためのファンクションキーが挙げられる。
【００２７】
また、連結手段４は、展開状態において展開方向Ｘに沿った軸Ｒの周りに第１の筺体２に対して第２の筺体３を回転可能に連結している。したがって、展開状態には、第１の面３ａが第３の面２ａと同じ方向を向いている第１の展開状態と、第２の面３ｂが第３の面２ａと同じ方向を向いている第２の展開状態と、が含まれる。
【００２８】
なお、図１には第１の展開状態にある携帯端末装置１が示されており、図３（ａ）および（ｂ）に、第２の展開状態にある携帯端末装置１の正面図および背面図が示されている。
【００２９】
携帯端末装置１が第１の展開状態（図１）にある場合には、操作部５を有する第３の面２ａと表示部を有する第１の面３ａが同じ方向を向いているため、携帯端末装置１のユーザは表示部７を見ながら操作部５を操作することができる。
【００３０】
携帯端末装置１が第２の展開状態（図３）にある場合には、スピーカ部８を有する第２の面３ｂとマイクロホン部を有する第３の面２ａが同じ方向を向いている。したがって、ユーザはスピーカ部８を耳に当ててマイクロホン部６を口に当て、携帯端末装置１を電話機として使用することが可能になる。
【００３１】
スピーカ部８は、表示部７が設けられた第１の面３ａとは異なる第２の面３ｂに設けられている。したがって、スピーカ部８がユーザの耳に当てられても、表示部７はユーザの耳や頬に接触しない。したがって、表示部７に皮脂が付着することがなく、表示部７の汚れを抑制することができる。
【００３２】
携帯端末装置におけるスピーカ部８の実装位置によっては、スピーカ部８をユーザの耳に当てにくく、スピーカ部８からの音の音量や音質が低下することがあった。本実施形態では、第２の面３ｂには表示部７が設けられていないため、スピーカ部８の実装位置の自由度が比較的高い。したがって、第２の面３ｂのうちの、ユーザの耳に当てやすい位置にスピーカ部８を設けることができ、スピーカ部８から出力された音の音量や音質の低下を抑制することができる。
【００３３】
スピーカ部８がユーザの耳に当てられているとき、表示部７はユーザの耳や頬に覆われていない。したがって、携帯端末装置１を電話機として使用している場合であっても、表示部７に多彩なイルミネーションや写真を表示して携帯端末装置１を装飾することができる。
【００３４】
展開状態に２つの状態が含まれているのと同じように、折り畳み状態には、第３の面２ａと第１の面３ａが対向する第１の折り畳み状態と、第３の面２ａと第２の面３ｂが対向する第２の折り畳み状態が含まれる。
【００３５】
なお、図２には第１の折り畳み状態にある携帯端末装置１が示されており、図４に第２の折り畳み状態にある携帯端末装置１の正面図が示されている。
【００３６】
携帯端末装置１が第１の折り畳み状態（図２）にある場合には、表示部７は第３の面２ａによって覆われる。したがって、ユーザは表示部７を露出しない状態で携帯端末装置１を持ち運ぶことができる。第１の折り畳み状態は、携帯端末装置１を使用しないで持ち運ぶ際に有利である。
【００３７】
携帯端末装置１が第２の折り畳み状態（図４）にある場合には、表示部７は露出される。したがって、ユーザは表示部７を見ながら携帯端末装置１を持ち運ぶことができる。第２の折り畳み状態は、操作部５を操作せず、表示部７に表示された画像を見ながら持ち運ぶ際に有利である。
【００３８】
さらに、携帯端末装置１は、第２の面３ｂに、マイクロホン部６とは異なるマイクロホン部を有する。以下、第３の面２ａに設けられたマイクロホン部６を第１のマイクロホン部６と称し、第２の面３ｂに設けられたマイクロホン部を第２のマイクロホン部９と称してして区別する。
【００３９】
第２のマイクロホン部９は、携帯端末装置１が第１の折り畳み状態（図２）にある場合に、携帯端末装置１の第２の展開状態（図３）への切り替えなしに携帯端末装置１の電話機としての使用を可能にする。したがって、ユーザは、より少ない操作で携帯端末装置１を電話機として使用することができる。
【００４０】
携帯端末装置１を第１の折り畳み状態にしたまま周囲の音を録音するために、第２のマイクロホン部９を使用してもよい。また、２マイクノイズキャンセリング機能のマイクの１つとして第２のマイクロホン部９が使用されても良い。
【００４１】
２マイクノイズキャンセリング機能とは、２つのマイクの入力成分と入力時間の差から、雑音と音声を区別して雑音のみをカットする機能であり、この機能によって雑音の少ない音声が得られる。
【００４２】
第１の折り畳み状態で電話機として使用する機能や、第１の折り畳み状態にしたまま周囲の音を録音する機能、２マイクノイズキャンセリング機能が不要な場合には、第２のマイクロホン部９を設ける必要はない。第２のマイクロホン部９を省くことによって、携帯端末装置１の構成要素を減らすことができる。
【００４３】
また、携帯端末装置１は、第１の筺体２の、第３の面２ａとは異なる外側面２ｂに、操作部５とは異なる操作部を有する。外側面２ｂは、携帯端末装置１が第１および第２の折り畳み状態にあっても露出される。第３の面２ａに設けられた操作部を第１の操作部５と称し、第３の面３ｃに設けられた操作部を第２の操作部１０と称して区別する。
【００４４】
第２の操作部１０は、携帯端末装置１が第１または第２の折り畳み状態（図２，４）にある場合に、携帯端末装置１の第２の展開状態（図３）への切り替えなしに携帯端末装置１の操作を可能にする。したがって、ユーザは、より少ない操作で携帯端末装置１を操作することができる。
【００４５】
第２の操作部１０が設けられる面は第１の筺体２の外側面２ｂに限られず、第２の筺体３の面のうちの、第１および第２の折り畳み状態にあっても露出される面に第２の操作部１０が設けられていてもよい。
【００４６】
次に、携帯端末装置１の内部の構造について図５を用いて説明する。図５は、携帯端末装置１のブロック図である。
【００４７】
図５に示すように、携帯端末装置１は、主制御部１１と、無線部１２と、表示制御部１３と、２つのマイクアンプ１４，１５と、Ａ／Ｄコンバータ１６と、Ｄ／Ａコンバータ１７と、スピーカアンプ１８と、アンテナ１９と、を備える。
【００４８】
主制御部１１は、ＣＰＵといった演算処理手段であり、無線部１２や表示制御部１３の制御や各種演算処理を行う。
【００４９】
無線部１２は、アンテナ１９を介して基地局（不図示）との無線通信を行う。具体的には、無線部１２は、受信した基地局からの無線周波数信号をローカル発振周波数信号に変調し、当該ローカル発振周波数信号を主制御部１１へ出力する。また、無線部１２は、主制御部１１より出力されたローカル発振周波数の信号を無線周波数の信号に変調してアンテナ１９を介して基地局に送信する。
【００５０】
表示制御部１３は、主制御部１１の命令信号に応じて、不図示の記憶部（メモリ）に保存された画像や電話番号等のデータ、各種メニュー画像、操作説明を表示部７に表示させる。
【００５１】
Ａ／Ｄコンバータ１６は、第１および第２のマイクロホン部６，９で集音され、マイクアンプ１４，１５によって増幅されたアナログ信号をデジタル信号に変換し、主制御部１１へ出力する。
【００５２】
Ｄ／Ａコンバータ１７は、主制御部１１より出力されたデジタル信号をアナログ信号に変換する。Ｄ／Ａコンバータ１７によって変換されたアナログ信号は、スピーカアンプ１８により増幅され、スピーカ部８から音として出力される。
【００５３】
また、携帯端末装置１は、第１および第２の展開状態や、第１および第２の折り畳み状態を検出する展開状態検出部（不図示）を有する。
【００５４】
次に、携帯端末装置１を電話機として使用する場合の動作について、図１，５，６，７を用いて説明する。図６は、第１の展開状態にある携帯端末装置１に着呼があった場合の動作を説明するためのフローチャートである。図７は、携帯端末装置１を使用して発呼する場合の動作を説明するためのフローチャートである。
【００５５】
まず、第１の展開状態にある携帯端末装置１に着呼があった場合の動作について説明する。
【００５６】
図１，５，６に示すように、不図示の基地局は、待機状態（Ｓ１０１）にある携帯端末装置１へ接続要求信号を送信する。接続要求信号は、アンテナ１９を介して無線部１２へ到達する。
【００５７】
無線部１２は、受信した接続要求信号を着呼信号に変調し、当該着呼信号を主制御部１１へ送信する（Ｓ１０２）。着呼信号を受信したところで、主制御部１１は、着呼があったことをユーザに知らせるため着信音を鳴らしたり第１および第２の筺体２，３を振動させたりする。
【００５８】
主制御部１１は、表示制御部１３を用いて、携帯端末装置１と基地局との間の回線の接続（「オフフック」とも呼ばれる）の操作を説明するガイド表示やスピーカ部８の位置を示す図を表示部７に表示させる（Ｓ１０３）。オフフック操作を説明するガイド表示の内容としては、軸Ｒの周りに第２の筺体３を第１の筺体２に対して回転させることをユーザに案内するイラストが挙げられる。
【００５９】
その後、携帯端末装置１のユーザはオフフック操作を行う（Ｓ１０４）。ユーザによってオフフック操作が行われたところで、携帯端末装置１はオフフック状態に切り替えられる（Ｓ１０５）。
【００６０】
オフフック操作としては、第１の展開状態から第２の展開状態に切り替える操作が挙げられる。この場合には、展開状態検出部（不図示）が、第１の展開状態から第２の展開状態に切り替えられたことを検出するとともに、オフフック操作が行われたことを主制御部１１に伝える。
【００６１】
また、第１の展開状態から第２の展開状態に切り替えた後の第１または第２の操作部５，１０の操作（例えばオフフックボタンを押下する操作）をオフフック操作としてもよい。
【００６２】
携帯端末装置１がオフフック状態に切り替えられたところで、ユーザは通話を開始する（Ｓ１０６）。
【００６３】
携帯端末装置１がオフフック状態にある場合、第１のマイクロホン部６が音を集めて当該音をアナログ音信号に変換し、マイクアンプ１４が当該アナログ音信号を増幅する。Ａ／Ｄコンバータ１６は増幅されたアナログ音信号をデジタル音信号に変換するとともに、主制御部１１を介して無線部１２へ当該デジタル音信号を送る。無線部１２は、デジタル音信号を無線周波数信号に変調し、アンテナ１９を介して当該無線周波数信号を基地局へ送信する。
【００６４】
また、基地局はから送出された無線周波数信号は、アンテナ１９を介して無線部１２に伝えられる。無線部１２は、受信した無線周波数信号をデジタル音信号に変調し、主制御部１１を介してＤ／Ａコンバータ１７へ当該デジタル音信号を送る。Ｄ／Ａコンバータ１７は、デジタル音信号をアナログ音信号に変換し、スピーカアンプ１８を介してスピーカ部８へ当該アナログ音信号を送る。スピーカアンプ１８によって増幅されたアナログ音信号を用いて、スピーカ部８が音を出力する。
【００６５】
通話が終了したところで、ユーザは、携帯端末装置１と基地局との間の回線の切断（「オンフック」とも呼ばれる）操作を行う（Ｓ１０７）。オンフック操作が行われるまでは、オフフック状態が維持され、通話が継続される（Ｓ１０８）。ユーザによってオンフック操作が行われたところで、携帯端末装置１はオンフック状態に切り替えられ（Ｓ１０９）、携帯端末装置１は待機状態に戻る（Ｓ１１０）。
【００６６】
オンフック操作としては、第２の展開状態から第１の展開状態に切り替える操作が挙げられる。この場合には、展開状態検出部（不図示）が、第２の展開状態から第１の展開状態に切り替えられたことを検出するとともに、オンフック操作が行われたことを主制御部１１に伝える。
【００６７】
第１の展開状態から第２の展開状態への切り替え操作をオフフック操作とすること、および第２の展開状態から第１の展開状態への切り替え操作をオンフック操作とすることによって、少ない操作でオフフック状態とオンフック状態とを切り替えることができる。したがって、携帯端末装置１の操作性が向上する。
【００６８】
また、第１または第２の操作部５，１０の操作（例えばオンフックボタンを押下する操作）や、第１の展開状態から第１の折り畳み状態に切り替える操作がオンフック操作であってもよい。
【００６９】
以上により、第１の展開状態にある携帯端末装置１に着呼があった場合の動作が完了する。
【００７０】
第２の展開状態、第１または第２の折り畳み状態にある携帯端末装置１に着呼があった場合の携帯端末装置１の動作については、オフフック操作が異なるのみであるため、オフフック操作についてのみ説明する。
【００７１】
第２の展開状態（図３）にある携帯端末装置１のオフフック操作としては、第１または第２の操作部５，１０の押下する操作が挙げられる。第２の折り畳み状態（図４）にある携帯端末装置１のオフフック操作としては、第２の折り畳み状態から第１の展開状態に切り替える操作が挙げられる。
【００７２】
第１の折り畳み状態（図２）にある携帯端末装置１のオフフック操作としては、第１の折り畳み状態から第１の展開状態に切り替え、さらに第２の展開状態に切り替える操作が上げられる。
【００７３】
また、本実施形態では、第２のマイクロホン部９を第２の面３ｂに有しているため、第１の折り畳み状態のままオフフック状態とすることができる。この場合には、第２の操作部１０の操作をオフフック操作とすればよい。オフフック操作を第２の操作部１０の操作で行えることをユーザに知らせるために、第２の操作部１０を光らせてもよい。
【００７４】
続いて、携帯端末装置１から発呼する場合の携帯端末装置１の動作について、図１，５，７を用いて説明する。
【００７５】
まず、ユーザは、第１の展開状態に携帯端末装置１を切り替える。なお、携帯端末装置１は待機状態（Ｓ２０１）にあるものとする。次に、第１または第２の操作部５，１０を操作して電話機能を選択し（Ｓ２０２）、発信先を入力する（Ｓ２０３）。発信先の入力方法としては、予め携帯端末装置１に記憶されている発信先を呼び出しても良いし、ユーザが新たに発信先を第１または第２の操作部５，１０を用いて入力しても良い。
【００７６】
発信先の入力が完了したところ、または発信先の入力が行われている最中に、主制御部１１は、表示制御部１３を用いて、オフフック操作を説明するためのガイド表示やスピーカ部８の位置を示す図を表示部７に表示させる（Ｓ２０４）。オフフック操作を説明するためのガイド表示の内容としては、軸Ｒの周りに第２の筺体３を第１の筺体２に対して回転させることをユーザに案内するイラストが挙げられる。
【００７７】
その後、携帯端末装置１のユーザはオフフック操作を行う（Ｓ２０５）。ユーザによってオフフック操作が行われたところで、携帯端末装置１はオフフック状態に切り替えられ（Ｓ２０６）、無線部１２は基地局（不図示）へ向けて接続要求信号を発信する。基地局を介して携帯端末装置１と発信先との間の回線が接続されたところで、ユーザは通話を開始する（Ｓ２０７）。
【００７８】
オフフック操作としては、第１の展開状態から第２の展開状態に切り替える操作が挙げられる。この場合には、展開状態検出部（不図示）が、第１の展開状態から第２の展開状態に切り替えられたことを検出するとともに、オフフック操作が行われたことを主制御部１１に伝える。
【００７９】
また、第１の展開状態から第２の展開状態に切り替えた後の第１または第２の操作部５，１０の操作（例えばオフフックボタンを押下する操作）をオフフック操作としてもよい。
【００８０】
オフフック状態における、第１のマイクロホン部６、マイクアンプ１４，１５、Ａ／Ｄコンバータ１６、主制御部１１、無線部１２、Ｄ／Ａコンバータ１７、スピーカアンプ１８、スピーカ部８の動作は、着呼があった場合の動作と同じであるため説明を省略する。
【００８１】
通話が終了したところで、ユーザはオンフック操作を行う（Ｓ２０８）。オンフック操作が行われるまでは、オフフック状態が維持され、通話が継続される（Ｓ２０９）。ユーザによってオンフック操作が行われたところで、携帯端末装置１はオンフック状態に切り替えられ（Ｓ２１０）、携帯端末装置１は待機状態に戻る（Ｓ２１１）。
【００８２】
オンフック操作としては、第２の展開状態から第１の展開状態に切り替える操作が挙げられる。この場合には、展開状態検出部（不図示）が、第２の展開状態から第１の展開状態に切り替えられたことを検出するとともに、オンフック操作が行われたことを主制御部１１に伝える。
【００８３】
また、第１または第２の操作部５，１０の操作（例えばオンフックボタンを押下する操作）や、第１の展開状態から第１の折り畳み状態に切り替える操作がオンフック操作であってもよい。
【００８４】
以上により、第１の展開状態にある携帯端末装置１に着呼があった場合の動作が完了する。
【００８５】
（第２の実施形態）
続いて、本発明の第２の実施形態に係る携帯端末装置について説明する。なお、本発明の実施形態に係るバルブ装置の構成要素のうち、図１ないし図４に示される構成要素と同一の構成要素には同一の符号を付し、その説明を省略する。
【００８６】
図８（ａ）および（ｂ）は、本実施形態に係る携帯端末装置の第１の展開状態での正面図、および背面図である。図９（ａ）および（ｂ）は、本実施形態に係る携帯端末装置の第２の折り畳み状態での正面図および背面図である。
【００８７】
図８および図９に示すように、本実施形態に係る携帯端末装置２０は、第１および第２の筺体２，３と、連結手段４と、を備える。第１の筺体２は、第３の面２ａに操作部５およびマイクロホン部６を備える。また、第１の筺体２は、第１の筺体２の、第３の面２ａとは反対側に位置する第４の面２ｃに、マイクロホン部６とは異なる第３のマイクロホン部２１およびカメラ２２を有する。
【００８８】
さらに、第２の面３ｂは、第２の筺体３の、第１の面３ａとは反対側に位置している。そのため、携帯端末装置２０が第２の折り畳み状態に切り替えられた場合、第４の面２ｃは、携帯端末装置２０の、第１の面３ａとは反対側に位置する。したがって、携帯端末装置２０のユーザは、表示部７を見ながら、ユーザの前方にある撮影対象にカメラを向けることができる。
【００８９】
なお、図９（ａ）において、表示部７内に示されるイラストは、表示部７に表示された撮影対象である。
【００９０】
また、第２の折り畳み状態にある携帯端末装置２０の第３のマイクロホン部２１を前記撮影対象に向けると、第３のマイクロホン部２１も前記撮影対象に向く。したがって、ユーザが撮影対象を音声付の動画として撮影する場合、周囲の音を第３のマイクロホン部２１で集めることができ、良好なＳ／Ｎ比で音を集めることができる。
【００９１】
また、携帯端末装置２０のユーザは、ユーザ自身を撮影対象として撮影する場合がある。この場合には、携帯端末装置２０を第２の展開状態（第４の面２ｃと第１の面３ａが同じ方向を向いた状態）に切り替える。カメラ２２をユーザ自身に向けた状態でユーザは表示部７を見ることができるため、ユーザはカメラ２２を向ける方向を容易に調整することができる。
【００９２】
関連する携帯端末装置においては、ユーザの前方にある撮影対象の撮影と、ユーザ自身を撮影対象とした撮影と、を別々のカメラで行うものが知られている。すなわち、このような携帯端末装置は２つのカメラを必要としていた。
【００９３】
本実施形態では、ユーザの前方にある撮影対象の撮影、およびユーザ自身を撮影対象とした撮影を、１つのカメラ２２で行うことができ、カメラ２２の個数やカメラ２２を設置するためのスペースを減らすことができる。
【符号の説明】
【００９４】
１      携帯端末装置
２      第１の筺体
３      第２の筺体
４      連結手段
５      操作部
６      マイクロホン部
７      表示部
８      スピーカ部
９      マイクロホン部
１０    操作部
１１    主制御部
１２    無線部
１３    表示制御部
１４    マイクアンプ
１５    マイクアンプ
１６    Ａ／Ｄコンバータ
１７    Ｄ／Ａコンバータ
１８    スピーカアンプ
１９    アンテナ
２０    携帯端末装置
２１    マイクロホン部
２２    カメラ
【図１】
2013153386.tif 000003
【図２】
2013153386.tif 000004
【図３】
2013153386.tif 000005
【図４】
2013153386.tif 000006
【図５】
2013153386.tif 000007
【図６】
2013153386.tif 000008
【図７】
2013153386.tif 000009
【図８】
2013153386.tif 000010
【図９】
2013153386.tif 000011